(57)【要約】【課題】水素濃度を高めることができ、止水後の溢水滴下を防止することができ、使い勝手がよく、不快な振動音の発生がない水素水生成器を提供する。【解決手段】フィルター部２５のフィルター部出口２９を開閉する加圧弁を設けた水素水生成器である。加圧弁２は、手動で押すと往動してフィルター部出口２９を閉じて静止し、滞留電解ガスの膨張により高まったフィルター部内圧の所定値による荷重によっては復動しないでフィルター部出口２９を開かず、フィルター部出口２９を閉じた後の給水時の給水圧力によって復動してフィルター部出口２９を開き加圧オリフィス１５を形成するものである。加圧弁２は、往復動する棒状の弁体５と、弁体５に取り付けられてフィルター部出口２９を閉じうる弁体パッキン６と、弁体５に前記静止のための静止摩擦力を働かせる弾性体４とを含む。【選択図】図１
2018015739.tif 000002
【特許請求の範囲】
【請求項１】
フィルター部（２５）のフィルター部出口（２９）を開閉する加圧弁（２）を設けた水素水生成器において、
加圧弁（２）は、
手動で押すと往動してフィルター部出口（２９）を閉じて静止し、
滞留電解ガスの膨張により高まるフィルター部内圧の所定値による荷重によっては復動しないでフィルター部出口（２９）を開かず、
フィルター部出口（２９）を閉じた後の給水時の給水圧力によって復動してフィルター部出口（２９）を開く
ものであることを特徴とする水素水生成器。
【請求項２】
前記加圧弁（２）は、前記給水圧力によって復動してフィルター部出口（２９）を開くときでも、フィルター部出口（２９）と加圧弁（２）との間にフィルター部出口（２９）の開口面積よりも通路面積が小さい加圧オリフィス（１５）を形成して、フィルター部内圧を高めるものである請求項１記載の水素水生成器。
【請求項３】
前記加圧弁（２）は、長さ方向に往動及び復動する棒状の弁体（５）と、弁体（５）の先端部に取り付けられてフィルター部出口（２９）を閉じうる弁体パッキン（６）と、弁体（５）の途中部に前記静止のための静止摩擦力を働かせる弾性体（４）とを含むものである請求項１又は２記載の水素水生成器。
【請求項４】
前記弾性体（４）により弁体（５）の上部に働く最大静止摩擦力は、仮にフィルター部出口（２９）を閉じずに溢水滴下する状態で滞留電解ガスの膨張により高まるフィルター部内圧による荷重よりも大きく、フィルター部出口（２９）を閉じた後の給水時の最低使用給水圧力による荷重よりも小さい範囲で設定されている請求項３記載の水素水生成器。
【請求項５】
前記弾性体（４）により弁体（５）の上部に働く最大静止摩擦力は、フィルター部出口（２９）を閉じた状態で滞留電解ガスの膨張により高まるフィルター部内圧の所定値による荷重よりも大きく、フィルター部出口（２９）を閉じた後の給水時の最低使用給水圧力による荷重よりも小さい範囲で設定されている請求項３記載の水素水生成器。
【請求項６】
前記弁体（５）は下向きに往動し上向きに復動するものであり、弁体（５）の自重と前記弾性体（４）により弁体（５）の途中部に働く最大静止摩擦力との和は、仮にフィルター部出口（２９）を閉じずに溢水滴下する状態で滞留電解ガスの膨張により高まるフィルター部内圧による荷重よりも大きく、フィルター部出口（２９）を閉じた後の給水時の最低使用給水圧力による荷重よりも小さい範囲で設定されている請求項３記載の水素水生成器。
【請求項７】
前記弁体（５）は下向きに往動し上向きに復動するものであり、弁体（５）の自重と前記弾性体（４）により弁体（５）の途中部に働く最大静止摩擦力との和は、フィルター部出口（２９）を閉じた後の滞留電解ガスの膨張により高まるフィルター部内圧の所定値による荷重よりも大きく、フィルター部出口（２９）を閉じた後の給水時の最低使用給水圧力による荷重よりも小さい範囲で設定されている請求項３記載の水素水生成器。
【請求項８】
前記弾性体（４）はフィルター部（２５）に対して動かないハウジング（３）と、ハウジング（３）に対して動く弁体（５）との間に設けられ、弁体（５）は弾性体（４）を介してハウジング（３）に水密支持されている請求項３記載の水素水生成器。
【請求項９】
前記弁体（５）が往動及び復動するときに、弾性体（４）はハウジング（３）とともに動かず、弁体（５）が弾性体（４）に対して摺動する請求項８記載の水素水生成器。
【請求項１０】
前記弁体（５）が往動及び復動するときに、弾性体（４）が弁体（５）とともに往動及び復動してハウジング（３）に対して摺動する請求項８記載の水素水生成器。
【請求項１１】
前記加圧弁（２）は、金属バネを用いないものである請求項１〜１０のいずれか一項に記載の水素水生成器。
【発明の詳細な説明】
【技術分野】
【０００１】
本発明は、電気分解により発生した水素ガスを原水に溶解させて水素水を生成する水素水生成器に関し、特に、水素濃度を高めるとともに止水後の吐出口からの溢水滴下を防止する機能を兼ね備える加圧弁に係るものである。
【背景技術】
【０００２】
図５に示すように、水素水生成器は、電解容器５１の内部に電極５２を備えた電解部５０と、フィルター容器５６の内部にフィルター５７を備えたフィルター部５５とを備えている。電極５２における原水の電気分解で発生した電解ガス（酸素ガス及び水素ガス）は、電解部５０及びフィルター部５５の内部に滞留し、一部が原水に溶解し、水素水が生成される。このとき、活性炭多孔質体からなるフィルター５７の圧損により、電解部５０及びフィルター部５５の内圧がやや高まるため、水素ガスの溶解効率ひいては原水中の水素濃度がやや高まる。
【０００３】
この状態で水栓６０を開くと、原水が電解部５０に給水される。その給水圧力によって、電解部５０及びフィルター部５５の水素水は、吐出パイプ６１の吐出口６２から外部に吐出され、飲料、スキンケア等に使用される。
【０００４】
この使用後に水栓６０を閉じると、吐出口６２からの水素水の吐出は止まるが、上述したフィルター５７の圧損及びフィルター５７内の圧縮されていた滞留電解ガスの開放・膨張により、水素水が少しずつ溢れて、図５に示すように吐出口６２から滴下（本願において「溢水滴下」という。）する現象が数分間継続する。すなわち水切れが悪いため、使用感に問題があった。
【０００５】
また、上述した水素ガスの溶解効率をさらに高めるためには、図５に２点鎖線で示すように、フィルター部出口５９を閉じる加圧弁７０を設けて、電解部５０及びフィルター部５５の内圧をさらに高めることが有効である（特許文献１）。
【０００６】
この加圧弁７０として、操作により開閉する加圧弁（図示略）を用いた場合には、内圧を高める効果のほか、使用後に加圧弁を操作により閉じることにより、溢水滴下を防止することもできる。
しかし、給水時には、水栓６０を開くだけでなく、加圧弁も開くという二つの操作が必要となるため、使い勝手が悪くなる。また、水栓６０を開いたまま加圧弁で止水するという使い方をした場合、給水圧力が電解部５０及びフィルター部５５に加わり続けるため、損傷の可能性が高まる。
【０００７】
また、この加圧弁７０として、図６に示すように、弁体７１を金属バネ７２で接水側へ付勢し、弁体７１に取り付けたパッキン７３を弁座７４に押し当てる方式のリリーフ弁を用いた場合には、内圧を高める効果のほか、給水圧力の変動に追従して一定圧を維持することもできる。
しかし、金属バネ７２式の加圧弁７０は、給水時に、流量によって、図６（ｂ）に太矢印で示すように金属バネ７２の共振および水の脈動が発生して不快な振動音が発生することがあった。また、金属バネ７２の付勢力が弱く、加圧弁７０のリリーフ圧の設定値が低いため、止水後に内圧がその設定値に下がるまでは、図６（ｂ）に示すように溢水滴下が間欠的に継続する。すなわち水切れが悪いため、使用感に問題があった。加えて、加圧弁７０の部品点数が多く、コスト面およびサイズの制約があった。
【先行技術文献】
【特許文献】
【０００８】
【特許文献１】特許第４４２０６６７号公報
【発明の概要】
【発明が解決しようとする課題】
【０００９】
そこで、本発明の目的は、水素濃度を高めることができ、止水後の溢水滴下を防止することができ、使い勝手がよく、損傷の可能性が高まる心配がなく、不快な振動音の発生がない水素水生成器を提供することにある。
【課題を解決するための手段】
【００１０】
フィルター部出口を開閉する加圧弁を設けた水素水生成器において、
加圧弁は、
手動で押すと往動してフィルター部出口を閉じて静止し、
滞留電解ガスの膨張により高まるフィルター部内圧の所定値による荷重によっては復動しないでフィルター部出口を開かず、
フィルター部出口を閉じた後の給水時の給水圧力によって復動してフィルター部出口を開く
ものであることを特徴とする。
【００１１】
加圧弁は、前記給水圧力によって復動してフィルター部出口を開くときでも、フィルター部出口と加圧弁との間にフィルター部出口の開口面積よりも通路面積が小さい加圧オリフィスを形成して、フィルター部内圧を高めるものであることが好ましい。
【００１２】
前記加圧弁は、長さ方向に往動及び復動する棒状の弁体と、弁体の先端部に取り付けられてフィルター部出口を閉じうる弁体パッキンと、弁体の途中部に前記静止のための静止摩擦力を働かせる弾性体とを含むものである態様を例示できる。この態様によれば、弁体が給水圧力によって復動するときに、静止摩擦力（動き始めれば動摩擦力）が復動をある程度制限するため、フィルター部出口を大きく開かず、前記加圧オリフィスを形成しうる。
【００１３】
前記弾性体により弁体の上部に働く最大静止摩擦力は、仮にフィルター部出口を閉じずに溢水滴下する状態で滞留電解ガスの膨張により高まるフィルター部内圧（例えば０．０３ＭＰａ）の荷重よりも大きく、フィルター部出口を閉じた後の給水時の最低使用給水圧力による荷重よりも小さい範囲で設定されている態様を例示できる。最低使用給水圧力は、通常、機器ごとに設定されるものであり、例えば０．０８〜０．１２ＭＰａの範囲で設定される。
【００１４】
さらに、前記弾性体により弁体の上部に働く最大静止摩擦力は、フィルター部出口を閉じた状態で滞留電解ガスの膨張により高まるフィルター部内圧の所定値による荷重よりも大きく、フィルター部出口を閉じた後の給水時の最低使用給水圧力による荷重よりも小さい範囲で設定されている態様が好ましい。ここで、「所定値」は、適宜設定でき、例えば０．０４ＭＰａ以上０．０８ＭＰａ未満の範囲で設定できる。
【００１５】
前記弁体は下向きに往動し上向きに復動するものであり、弁体の自重と前記弾性体により弁体の途中部に働く最大静止摩擦力との和は、仮にフィルター部出口を閉じずに溢水滴下する状態で滞留電解ガスの膨張により高まるフィルター部内圧（例えば０．０３ＭＰａ）の荷重よりも大きく、フィルター部出口を閉じた後の給水時の最低使用給水圧力（同上）の荷重よりも小さい範囲で設定されている態様を例示できる。
【００１６】
さらに、前記弁体は下向きに往動し上向きに復動するものであり、弁体の自重と前記弾性体により弁体の途中部に働く最大静止摩擦力との和は、フィルター部出口を閉じた後の滞留電解ガスの膨張により高まるフィルター部内圧の所定値（同上）の荷重よりも大きく、フィルター部出口を閉じた後の給水時の最低使用給水圧力（同上）の荷重よりも小さい範囲で設定されている態様が好ましい。
【００１７】
前記弾性体はフィルター部に対して動かないハウジングと、ハウジングに対して動く弁体との間に設けられ、弁体は弾性体を介してハウジングに水密支持されている態様を例示できる。この態様はさらに、（ａ）弁体が往動及び復動するときに、弾性体はハウジングとともに動かず、弁体が弾性体に対して摺動する態様と、（ｂ）弁体が往動及び復動するときに、弾性体が弁体とともに往動及び復動してハウジングに対して摺動する態様とを含む。
【００１８】
前記加圧弁は、金属バネを用いないものであることが好ましい。
【発明の効果】
【００１９】
本発明によれば、次の効果が得られる。
（ア）加圧弁は、手動で押すと往動してフィルター部出口を閉じて静止するので、フィルター部内圧が電解ガスにより高まり、水素の溶解効率が高まり、水素濃度の高い水素水を生成することができる。また、加圧弁を手動で押す操作は、ワンタッチで簡単に行うことができる。
（イ）加圧弁は、滞留電解ガスの膨張により高まるフィルター部内圧の所定値による荷重によっては復動しないでフィルター部出口を開かないので、止水後の溢水滴下を防止することができる。すなわち水切れが良いため、使用感に優れる。
（ウ）加圧弁は、フィルター部出口を閉じた後の給水時の最低使用給水圧力による荷重によって復動してフィルター部出口を開くので、給水時には、水栓を開くだけでよく、加圧弁を開く操作が要らないため、使い勝手が良い。また、止水時に、給水圧力がフィルター部に加わり続けることがないため、損傷の可能性が高まる心配がない。
（エ）加圧弁が、水流によってフィルター部出口を開くときでも、フィルター部出口と加圧弁との間にフィルター部出口の開口面積よりも通路面積が小さい加圧オリフィスを形成するものである場合には、このときにもフィルター部内圧が高まるので、水素濃度の高い水素水を生成することができる。
（オ）加圧弁は、手動で押すと往動し、給水圧力によって復動するものなので、給水時に、共振や水の脈動が発生しにくく、不快な振動音が発生しない。金属バネを用いないこともでき、その場合金属バネの共振もない。
（カ）加圧弁は、従来の金属バネを用いたリリーフ弁に比べ、部品点数を削減でき、コンパクト化と低コスト化を実現できる。
【図面の簡単な説明】
【００２０】
【図１】実施例の水素水生成器の断面図である。
【図２】同水素水生成器の加圧弁部を拡大して示す、（ａ）は給水時の断面図、（ｂ）は止水時の断面図である。
【図３】原水の給水圧力とフィルター部内圧との関係を示すグラフである。
【図４】原水の流量と水素濃度との関係を示すグラフである。
【図５】従来例の水素水生成器の断面図である。
【図６】同水素水生成器の加圧弁部を拡大して示す、（ａ）は給水時の断面図、（ｂ）は止水時の断面図である。
【発明を実施するための形態】
【００２１】
次の形態を例示することができる。
１．加圧弁
（１）上述のとおり、加圧弁は、給水圧力によって復動してフィルター部出口を開くときでも、フィルター部出口と加圧弁との間にフィルター部出口の開口面積よりも通路面積が小さい加圧オリフィスを形成して、フィルター部内圧を高めるものであることが好ましい。
【００２２】
（２）上述のとおり、加圧弁としては、長さ方向に往動及び復動する棒状の弁体と、弁体の先端部に取り付けられてフィルター部出口を閉じうる弁体パッキンと、弁体の途中部に前記静止のための静止摩擦力を働かせる弾性体とを含む構成を例示できる。
弁体（特に弾性体と接する部位）の素材は、特に限定されないが、錆等の発生による経年劣化が発生せず、安定した摩擦係数を維持できる、ステンレス素材、耐食性メッキを施した素材、樹脂素材等が好ましい。弁体（特に弾性体と接する部位）の表面粗さＲａは０．８ａ以下とすることが好ましい。
【００２３】
弾性体の形態は、特に限定されないが、リング状のパッキン（Ｏリング等）、リップパッキン等を例示できる。弾性体の素材は、特に限定されないが、シリコンゴム、ＮＢＲ，ＥＰＤＭ等の合成ゴム素材が好ましく、摩擦抵抗を低減する場合は、必要に応じ、フッ素加工品等を用いることもできる。
弾性体のつぶし代は、永久変形が発生しにくく、かつ、線当たりから面当たりへの変化による摩擦荷重の変化が発生しにくい、４〜１５％とすることが好ましい。
【００２４】
弁体パッキンの形態は、特に限定されないが、Ｏリング、リップパッキン等を例示できる。弁体パッキンの素材は、特に限定されないが、シリコンゴム、ＮＢＲ，ＥＰＤＭ等の合成ゴム素材が好ましく、摩擦抵抗を低減する場合は、必要に応じ、フッ素加工品等を用いることもできる。
【００２５】
（３）加圧弁は、前記（１）の態様に限定されず、例えば、長さ方向に往動及び復動する棒状の弁体と、弁体に取り付けられてフィルター部出口を閉じうるとともに弁体に前記静止のための静止摩擦力を働かせる弁体パッキンとを含む構成（弁体パッキンに前記（１）の態様の弾性体の機能も持たせて、該弾性体は省略した態様）でもよい。また、加圧弁は、上述のとおり、金属バネを用いないものが好ましいが、前記静止摩擦力に加えて金属バネを補助的に用いるものを排除しない。
【００２６】
（４）加圧弁がフィルター部出口を閉じた後の滞留電解ガスの膨張により高まるフィルター部内圧は、仮に加圧弁がないとした場合の滞留電解ガスの膨張により高まるフィルター部内圧に対し、１１０〜３００％（より好ましくは１３０〜２００％）の範囲に設定することが好ましい。
【００２７】
３．フィルター部
フィルター部は、電解部と分かれたものでもよいし、電解部と一体になったものでもよい。
フィルター部出口は、フィルター部の容器に形成された出口に限定されず、該出口に続く別部材に形成された通路も含むものとする。
【実施例】
【００２８】
図１及び図２に示す実施例の水素水生成器は、電解部（水素発生部）２０と、電解部２０の後段に接続されたフィルター部２５と、フィルター部２５の出口に接続された加圧弁部１と、加圧弁部１の後段に接続された吐出パイプ３１とを含み構成されている。
【００２９】
電解部２０は、電解容器２１と、電解容器２１内に設けられた電極２２と、電極２２に電圧を印加する電源装置（図示略）とから構成されている。電極２２及び電源装置は、特定のものに限定されず、例えば公知のものを用いることができる。原水は、水栓３０から電解容器２１に供給される。原水は電極２２にて電気分解され、電解ガス（酸素ガス及び水素ガス）が発生する。電解容器２１の上部には接続口２４が形成されている。
【００３０】
フィルター部２５は、接続口２４に接続されたフィルター容器２６と、フィルター容器２６内に設けられたフィルター２７とから構成されている。フィルター２７は、特定のものに限定されず、例えば公知の活性炭多孔質体を用いることができる。フィルター容器２６の天壁には円筒状の出口部材２８が上方へ突設され、その内面がフィルター部出口２９である。
【００３１】
加圧弁部１は、ハウジング３と、ハウジング３の内部に設けられた加圧弁２とから構成されている。加圧弁２は、手動で押すと往動してフィルター部出口２９を閉じて静止し、フィルター部出口２９を閉じた後の滞留電解ガスの膨張により高まるフィルター部内圧によっては復動しないでフィルター部出口２９を開かず、フィルター部出口２９を閉じた後の給水時の給水圧力によって復動してフィルター部出口２９を開くものである。
【００３２】
加圧弁２は、具体的には、長さ方向を上下方向として下方向に往動し、上方向に復動する棒状の弁体５と、弁体５の先端部（下端部）に取り付けられてフィルター部出口２９を閉じうる弁体パッキン６と、弁体５の途中部に前記静止のための静止摩擦力を働かせる弾性体４とを含むものである。
【００３３】
ハウジング３は、フィルター部出口２９に続く水路を形成するものであるとともに、弁体５の外周を弾性体４で水密支持するものである。詳しくは、ハウジング３は、周壁３ａと上端壁３ｂとからなる倒立カップ状に形成され、周壁３ａの下部が出口部材２８の周りに水密に取り付けられている。周壁３ａの上部であって上端壁３ｂと出口部材２８との間には、前記水路が形成され、周壁３ａ一部には水路に続くノズル３ｃが外側へ突設されている。ノズル３ｃには吐出パイプ３１が接続され、吐出パイプ３１の先端が水素水の吐出口３２である。
【００３４】
ハウジング３の上端壁には、弁体５の挿着穴７が形成され、挿着穴７の下部に挿着穴７よりも内径が小さいフランジ８が一体形成されている。挿着穴７の上部に挿着穴７よりも内径が小さいリング９があてがわれ、リング９はハウジング３の上端壁に止められた押さえ部材１０により外れないようになっている。
【００３５】
弾性体４は、例えば合成ゴム素材からなるＯリングであり、弁体５の下記一般軸部１１に外嵌されているとともに、挿着穴７に入れられてフランジ８とリング９との間に挟まれている。これにより、弁体５が往動及び復動するときに、弾性体４はハウジング３とともに動かず、弁体５がハウジング３に対して動き、弾性体４に対して上下摺動するようになっている。
【００３６】
弁体５は、例えばステンレス鋼素材からなる、一般軸部１１と、下端側（接水側）の先端軸部１２と、それらの間の拡径した拡径軸部１３とを含む棒状のものであり、上端には一般軸部１１よりも径の大きい操作ボタン１４が付設されている。一般軸部１１は、リング９に挿通されて上下動が案内されているとともに、前記弾性体４が外嵌されている。この外嵌による弾性体４のつぶし代は４〜１５％である。拡径軸部１３は、弁体５が上向きに復動したときに弾性体４に係止して、それ以上の復動を規制する。先端軸部１２に形成された周溝には、弁体パッキン６が装着されている。
【００３７】
弁体パッキン６は、例えば合成ゴム素材からなるＯリングである。弁体パッキン６は、弁体５が手動で押されて下向きに往動したときに、フィルター部出口２９に進入してフィルター部出口２９を閉じる位置に配置され、給水時に弁体５が上向きに復動したときに、フィルター部出口２９から抜け出してフィルター部出口２９を開く位置に配置されるようになっている。
【００３８】
弁体５の自重と弾性体４により弁体５の一般軸部１１に働く最大静止摩擦力との和は、仮にフィルター部出口２９を閉じずに溢水滴下する状態で滞留電解ガスの膨張により高まるフィルター部内圧による荷重（例えば０．０３ＭＰａ）よりも大きく、フィルター部出口２９を閉じた後の給水時の最低使用給水圧力（例えば０．０８ＭＰａ）の荷重よりも小さい範囲で設定されている。
【００３９】
例えば、本実施例を一般家庭用の水素水生成器（電解電流一定、溢水滴下時のフィルター部内圧０．０３ＭＰａ、最小使用圧力０．０８ＭＰａ、本加圧弁がフィルター部出口を閉じた後の滞留電解ガスの膨張により高まるフィルター部内圧は、仮に本加圧弁がないとした場合の滞留電解ガスの膨張により高まるフィルター部内圧に対し、１４０％に設定）に適用した場合、弁体５の一般軸部１１の直径４．７ｍｍ、外周の表面粗さＲａ２μｍ、弾性体４の素材ＮＢＲ、弾性体４のつぶし代１１％で設定すると、図３に示すように、加圧弁なしとした比較例と比べて、フィルター部内圧は１４０％となる加圧効果が得られた。また、本実施例は、本加圧弁に代えて従来の金属バネ式リリーフ弁（５ｋＰａ）を用いた比較例と比べても高い加圧効果が得られた。この加圧効果により本実施例は、図４に示すように、上記２つの比較例と比べて、水素濃度の高い水素水を広範囲の原水流量において生成することができた。
【００４０】
以上のように構成された本実施例の水素水生成器の使い方及び作用について、以下説明する。
（１）図１に示すように、電解部２０の電極２２における原水の電気分解で発生した電解ガス（酸素ガス及び水素ガス）は、電解部２０及びフィルター部２５の内部に滞留し、一部が原水に溶解し、水素水が生成される。このとき、活性炭多孔質体からなるフィルター２７の圧損により、電解部２０及びフィルター部２５の内圧がやや高まる。加えて、加圧弁２がフィルター部出口２９を閉じている場合には、電解部２０及びフィルター部２５の内圧がさらに高まるため、ため、水素ガスの溶解効率ひいては原水中の水素濃度が高まる。また、仮に加圧弁２がフィルター部出口２９を開いている場合でも、後述する加圧オリフィス１５を形成している場合には、通水時に電解部２０及びフィルター部２５の内圧がさらに高まる。
【００４１】
（２）この状態で水栓３０を開くと、原水が電解部２０に給水され、図２（ａ）に示すように、その給水圧力によって弁体５が上向きに復動し、弁体パッキン６がフィルター部出口２９から抜け出す結果、自動的に加圧弁２がフィルター部出口２９を開く。このとき、上述した静止摩擦力（動き始めれば動摩擦力）が復動をある程度制限するため、加圧弁２は、フィルター部出口２９を大きく開かず、フィルター部出口２９と加圧弁２との間にフィルター部出口２９の開口面積よりも通路面積が小さい加圧オリフィス１５を形成する。よって、電解部２０及びフィルター部２５の内圧を高める効果が持続する。
電解部２０及びフィルター部２５の水素水は、加圧オリフィス１５からハウジング３内の通路に流入し、吐出パイプ３１の吐出口３２から外部に吐出され、飲料、スキンケア等に使用される。
【００４２】
（３）この使用後に水栓３０を閉じると、水素水の吐出口３２からの吐出は止まるが、そのままにすると、フィルター２７の圧損及びフィルター２７内の圧縮されていた滞留電解ガスの開放・膨張により、水素水が吐出口３２から溢水滴下する。そこで、図２（ｂ）に示すように、使用者が操作ボタン１４に手指を掛けて手動で弁体５を押すと、弁体５が下向きに往動し、弁体パッキン６がフィルター部出口２９に進入する結果、加圧弁２がフィルター部出口２９を閉じる。これにより、吐出口３２からの溢水滴下がすぐに止まる。
【００４３】
（４）次に使用するときは、上記（２）に戻る。
【００４４】
本実施例によれば、次の効果が得られる。
（ア）加圧弁２は、手動で押すと往動してフィルター部出口２９を閉じて静止するので、フィルター部内圧が電解ガスにより高まり、水素の溶解効率が高まり、水素濃度の高い水素水を生成することができる。また、加圧弁２を手動で押す操作は、ワンタッチで簡単に行うことができる。
（イ）加圧弁２は、滞留電解ガスの膨張により高まるフィルター部内圧の所定値による荷重によっては復動しないでフィルター部出口２９を開かないので、止水後の溢水滴下を防止することができる。すなわち水切れが良いため、使用感に優れる。
（ウ）加圧弁２は、フィルター部出口２９を閉じた後の給水時の最低使用給水圧力による荷重によって復動してフィルター部出口２９を開くので、給水時には、水栓３０を開くだけでよく、加圧弁２を開く操作が要らないため、使い勝手が良い。また、止水時に、給水圧力が電解部２０及びフィルター部２５に加わり続けることがないため、損傷の可能性が高まる心配がない。
（エ）加圧弁２が、水流によってフィルター部出口２９を開くときでも、フィルター部出口２９と加圧弁２との間にフィルター部出口２９の開口面積よりも通路面積が小さい加圧オリフィス１５を形成するので、このときにもフィルター部内圧が高まり、水素濃度の高い水素水を生成することができる。
（オ）加圧弁２は、手動で押すと往動し、給水圧力によって復動するものなので、給水時に、共振や水の脈動が発生しにくく、不快な振動音が発生しない。また、金属バネを用いないので、金属バネの共振もない。
（カ）加圧弁２は、従来の金属バネを用いたリリーフ弁に比べ、部品点数を削減でき、コンパクト化と低コスト化を実現できる。
【００４５】
なお、本発明は前記実施例に限定されるものではなく、発明の趣旨から逸脱しない範囲で適宜変更して具体化することができる。
【符号の説明】
【００４６】
１    加圧弁部
２    加圧弁
３    ハウジング
４    弾性体
５    弁体
６    弁体パッキン
１１    一般軸部
１２    先端軸部
１３    拡径軸部
１４    操作ボタン
１５    加圧オリフィス
２０    電解部
２１    電解容器
２２    電極
２５    フィルター部
２６    フィルター容器
２７    フィルター
２９    フィルター部出口
３０    水栓
３１    吐出パイプ
３２    吐出口
【図１】
2018015739.tif 000003
【図２】
2018015739.tif 000004
【図３】
2018015739.tif 000005
【図４】
2018015739.tif 000006
【図５】
2018015739.tif 000007
【図６】
2018015739.tif 000008